(57)【要約】      （修正有）【課題】長時間快適に着用可能であり、運動時における利便性を兼ね備えたマスクを提供する。【解決手段】口元を覆う本体部１及び耳に係止される装着紐３によって構成されたマスクであって、本体部は、その下縁が頤近傍に位置し且つ装着紐を耳に係止して本体部で口元を覆った場合に、本体部の下縁と顎との間に隙間ができるように顎紐２が設けられている。【選択図】図２
0003229017.tif 000002
【実用新案登録請求の範囲】
【請求項１】
口元を覆う本体部及び耳に係止される装着紐によって構成されたマスクであって、前記本体部は、その下縁が頤近傍に位置し且つ前記装着紐を耳に係止して前記本体部で口元を覆った場合において、前記本体部の下縁と顎との間に隙間ができるように構成されていることを特徴とするマスク。
【請求項２】
請求項１記載のマスクにおいて、前記本体部の左右下端部間には顎に係止される顎紐が架設され、前記装着紐を耳に係止して前記本体部で口元を覆った場合において、前記顎紐は前記本体部の下縁と間隔を介して顎に係止されるように構成されていることを特徴とするマスク。
【請求項３】
請求項１，２いずれか１項に記載のマスクにおいて、前記装着紐を耳に係止して前記本体部を口元で覆った場合、側面視において、前記本体部の中程を頂点にして下側は、顔面に徐々に近接するなだらかな円弧形状に形成されていることを特徴とするマスク。
【請求項４】
請求項１〜３いずれか１項に記載のマスクにおいて、前記本体部は伸縮性を有する素材で構成され、前記顎紐の全長は前記本体部の下縁全長より短く設定されていることを特徴とするマスク。
【請求項５】
請求項１〜４いずれか１項に記載のマスクにおいて、前記本体部及び前記顎紐の素材はポリエステルであることを特徴とするマスク。
【考案の詳細な説明】
【技術分野】
【０００１】
本考案は、良好な通気性及び換気機能を有するマスクに関する。
【背景技術】
【０００２】
従来、運動時の着用に適したマスクとして、例えば下記特許文献１に示すマスク（以下、従来例という。）が提案されている。
【０００３】
従来例では、マスク本体部の一部に網目素材を使用することで一般的なマスクと比較して通気性が良く、運動時の使用に適したマスクとなる。
【先行技術文献】
【特許文献】
【０００４】
【特許文献１】実用新案登録第３２１０４３０号公報
【考案の概要】
【考案が解決しようとする課題】
【０００５】
しかしながら、従来例は、他者と正面から向き合った場合、咳やくしゃみによる飛沫が網目素材で構成された部位を介して直接相手に届くことになり、逆に相手から排出される飛沫の流入を防ぐこともできない。つまり、飛沫感染を防止する効果は不十分であると言わざるを得ない。
【０００６】
また、たとえ運動時の使用に適しているとしても、運動時に欠かすことのできない水分補給を行う際にはその都度、耳に掛けてある紐を外してマスクをとる必要があり、極めて煩わしい。
【０００７】
本考案はこのような事情に鑑み、正面部を通じた空気の出入りを遮断しながらも運動に適した通気性能を発揮し、水分補給の度に取り外す必要がない実用的なマスクを提供するものである。
【課題を解決するための手段】
【０００８】
添付図面を参照して本考案の要旨を説明する。
【０００９】
口元を覆う本体部１及び耳に係止される装着紐３によって構成されたマスクであって、前記本体部１は、その下縁が頤近傍に位置し且つ前記装着紐３を耳に係止して前記本体部１で口元を覆った場合において、前記本体部１の下縁と顎との間に隙間Ｌができるように構成されていることを特徴とするマスクに係るものである。
【００１０】
また、請求項１記載のマスクにおいて、前記本体部１の左右下端部間には顎に係止される顎紐２が架設され、前記装着紐３を耳に係止して前記本体部１で口元を覆った場合において、前記顎紐２は前記本体部１の下縁と間隔Ｓを介して顎に係止されるように構成されていることを特徴とするマスクに係るものである。
【００１１】
また、請求項１，２いずれか１項に記載のマスクにおいて、前記装着紐３を耳に係止して前記本体部１を口元で覆った場合、側面視において、前記本体部１の中程を頂点にして下側は、顔面に徐々に近接するなだらかな円弧形状に形成されていることを特徴とするマスクに係るものである。
【００１２】
また、請求項１〜３いずれか１項に記載のマスクにおいて、前記本体部１は伸縮性を有する素材で構成され、前記顎紐２の全長は前記本体部１の下縁全長より短く設定されていることを特徴とするマスクに係るものである。
【００１３】
また、請求項１〜４いずれか１項に記載のマスクにおいて、前記本体部１及び前記顎紐２の素材はポリエステルであることを特徴とするマスクに係るものである。
【考案の効果】
【００１４】
本考案は上述のように構成したから、良好な通気性と運動時における利便性を兼ね備えたマスクとなる。
【図面の簡単な説明】
【００１５】
【図１】本実施例の斜視図である。
【図２】本実施例の内面を示す説明図である。
【図３】本実施例の使用状態を示す斜視図である。
【図４】本実施例の使用状態を示す説明図である。
【図５】本実施例の使用状態を示す側面図である。
【考案を実施するための形態】
【００１６】
好適と考える本考案の実施形態を、図面に基づいて本考案の作用を示して簡単に説明する。
【００１７】
本考案は正面方向に対して気密性を有していることから、通常のマスクと同様に、正面部を介した飛沫の放出及び侵入を防止することができると同時に、装着紐３を耳に掛けて装着した際、本体部１の下縁と顎との間に隙間Ｌができるため、通気性及び換気性が向上し、運動時に使用しても息苦しさが軽減される。
【００１８】
また、通常のマスクを使用する場合、水分補給するためには装着紐を耳から外してマスクをとる必要があるが、本考案のマスクでは、前記本体部１の下縁と顎の間に前記隙間Ｌが存在するため、前記本体部１の下縁を捲って、マスクを装着したままでの水分補給が容易に可能となる。
【実施例】
【００１９】
本考案の具体的な実施例について図面に基づいて説明する。
【００２０】
本実施例は、口元を覆う本体部１及び耳に係止される装着紐３によって構成されたマスクであって、前記本体部１は、その下縁が頤近傍に位置し且つ前記装着紐３を耳に係止して前記本体部１で口元を覆った場合において、前記本体部１の下縁と顎との間に隙間Ｌができるように構成されているマスクである。
【００２１】
ここでの頤とは、下顎の頂点の部位を指す。
【００２２】
尚、前記装着紐３は帯状のものを含むものである。
【００２３】
また、前記本体部１の左右下端部間には顎に係止される顎紐２が架設されており、マスク装着時に前記本体部１及び前記顎紐２の間に一定の間隔（間隔Ｓ）が生じるように構成されている。具体的には、この顎紐２の全長は前記本体部１の下縁の全長と比較して短くなるように設定されている。即ち、この顎紐２があるため、前記本体部１の下縁と顎との間に前記隙間Ｌができるように構成しても、前記本体部１は適度に口元を覆うことになる。
【００２４】
また、マスク装着時における前記本体部１の形状の特徴として、この本体部１の中程を頂点に、下側は側面視においてなだらかな円弧を描く形状に形成されている。勿論、前記本体部１の中程を頂点に、下側を側面視直線状としても前記隙間Ｌが確保できれば良い。
【００２５】
また、本実施例のマスクは、前記本体部１及び前記顎紐２の素材として適度な伸縮性及び通気性を有するポリエステルを使用している。
【００２６】
以下に各構成を具体的に説明する。
【００２７】
本実施例のマスクは、口元を覆う本体部１，耳に係止してマスクを装着するために使用される装着紐３及び前記本体部１の左右下端部間に設けられた顎紐２によって構成されている。前記本体部１は通気性を確保するためメッシュ構造にしている。
【００２８】
前記本体部１における下辺から上辺までの長さは、両端部と比較して中央部が長くなるように設定されている。具体的には、両端部から中央部にかけて次第に幅広くなるように形成しており、装着時に前記本体部１により鼻が完全に被覆される。
【００２９】
また、前記本体部１は、装着紐３を耳に係止して前記本体部１で口元を覆った場合、前記本体部１の下縁がマスク装着者の頤近傍に位置し、前記本体部１の下縁と顎との間に隙間Ｌが生じるように構成されている。具体的には、前記本体部１の中程（鼻先に当る部分）を頂点に、下側は側面視においてなだらかな円弧を描く形状に形成されているため、マスク装着者の頤近傍では前記本体部１の下縁が顎に接しない構成になっている。
【００３０】
また、前記本体部１の左右下端部間には顎に係止される顎紐２が架設されている。具体的には、前記顎紐２の端部４，５が前記本体部１における下角部６，７にそれぞれ接合されており、マスク装着時に前記本体部１と前記顎紐２とが互いに分離し、間隔Ｓが生じるように構成されている。
【００３１】
より具体的には、前記顎紐２の長さが前記本体部１の下縁の長さよりも短く設定されており、前記顎紐２の前記端部４，５を前記下角部６，７へそれぞれ接合すると、その長さの違いから前記本体部１と前記顎紐２との間には、装着時に顕著となる間隔Ｓが生じる。
【００３２】
前記装着紐３は、前記本体部１の上辺に沿う形で縫い付けられており、さらに、前記装着紐３の両端部は、前記顎紐２の両端部（前記端部４，５）と同様に、前記下角部６，７に縫い付けられている。
【００３３】
本実施例は上記のように構成したから次の作用効果を有する。
【００３４】
側面視において、前記本体部１の下縁近傍の形状はなだらかな円弧形状であり、前記本体部１の下縁近傍と顎との間に隙間Ｌが生じるため、マスクと顎の間の空間が確保される。
【００３５】
また、前記顎紐２の長さが、前記本体部１の下縁の長さと比較して短めに設定されているため、前記本体部１の下縁と前記顎紐２との間の間隔Ｓが適切に維持され、よって前記隙間Ｌが確実に確保される。
【００３６】
仮に前記顎紐２が長過ぎてマスク装着時に弛みが生じてしまうと、顎に対して適切に係止されなくなり、前記本体部１を顔面にフィットさせることが困難となるが、前記顎紐２がマスク装着時に顎に係止する際に弛みが生じない長さに設定されていていることから、前記本体部１を捲り上げてもマスクが脱落してしまう心配はない。
【００３７】
このように前記本体部１の下縁と顎の間に生じた前記隙間Ｌが換気口としての役割を果たすため通気性が良好となることで呼吸がし易くなり、激しい運動時でもマスク着用時特有の息苦しさが抑制される。
【００３８】
また、前記本体部１の下端を捲るだけで口が露出するため、前記装着紐３を耳から外すことなく水分補給が可能となる。通常のマスクにおいて同様にマスクの下縁を捲ると、前記装着紐３に対して手前に引っ張られる力により口を露出する前にマスクが外れる（前記装着紐３が耳から外れる）可能性あるが、本実施例は、前記顎紐２が顎に係止されているため、前記本体部１が脱落することはなく、したがって、容易に前記本体部１を捲ることができ、吸水動作を妨げることはない（図５を参照。）。
【００３９】
また、本実施例におけるマスクは素材としてポリエステルを採用していることから、吸水機能及び速乾機能に優れており、マスクの内側が蒸れにくく、快適に使用することが可能である。さらに洗って繰り返し使用できるため、使い捨てマスクと比べて経済的である。
【００４０】
また、本体部１はメッシュ構造をしているため軽量であり、ストレスなく長時間着用することができる。
【００４１】
本実施例におけるマスク使用時の外観は、一般的に市販されているマスクとほぼ同様であることから、運動時だけに限らず日常的にも違和感なく使用できると共に、通気性及び換気性に優れており、着用時の息苦しさからマスクの着用を好まない人にとっても使用し易い不快感を低減したマスクとなる。
【００４２】
尚、本考案は、本実施例に限られるものではなく、各構成要件の具体的構成は適宜決定し得るものである。
【符号の説明】
【００４３】
１  本体部
２  顎紐
３  装着紐
Ｌ  隙間
Ｓ  間隔
【図１】
0003229017.tif 000003
【図２】
0003229017.tif 000004
【図３】
0003229017.tif 000005
【図４】
0003229017.tif 000006
【図５】
0003229017.tif 000007